(57)【要約】【課題】効率よくコンテンツを再生することができるシーン再生装置を提供することである。【解決手段】実施形態のシーン再生装置は、通信手段と、選択手段と、検出手段と、再生手段とを備える。前記通信手段は、サーバから１以上のコンテンツの１以上のシーンに対応する１以上のシーン情報を受信する。前記選択手段は、選択操作に対応して、前記１以上のシーン情報の中から第１のシーン情報を選択する。前記検出手段は、前記第１のシーン情報に対応する、第１のコンテンツの第１のシーンを検出する。前記再生手段は、前記第１のシーンを再生する。【選択図】図２５Ｂ
2014048808.tif 000002
【特許請求の範囲】
【請求項１】
サーバから１以上のコンテンツの１以上のシーンに対応する１以上のシーン情報を受信する通信手段と、
選択操作に対応して、前記１以上のシーン情報の中から第１のシーン情報を選択する選択手段と、
前記第１のシーン情報に対応する、第１のコンテンツの第１のシーンを検出する検出手段と、
前記第１のシーンを再生する再生手段と、
を備えたシーン再生装置。
【請求項２】
前記通信手段は、前記サーバに対して再生可能な複数のコンテンツの識別情報を送信し、前記サーバから前記複数のコンテンツの夫々に含まれる複数のシーンに対応する複数のシーン情報を受信する請求項１のシーン再生装置。
【請求項３】
前記通信手段は、前記サーバに対して、複数の記録コンテンツの前記識別情報を含むコンテンツ記録ログを送信する請求項２のシーン再生装置。
【請求項４】
前記複数のシーン情報の中から、指定条件に対応する１以上の条件対応シーン情報を検索する検索手段と、
検索された１以上の条件対応シーン情報を提示する提示手段と、
を備え、
前記選択手段は、前記選択操作に対応して、前記提示された１以上の条件対応シーン情報の中から前記第１のシーン情報を選択する請求項２又は３のシーン再生装置。
【請求項５】
前記通信手段は、検索人気キーワード情報を受信し、
前記検索手段は、前記複数のシーン情報の中から、前記検索人気キーワード情報に基づき前記１以上の条件対応シーン情報を検索する請求項４のシーン再生装置。
【請求項６】
前記通信手段は、視聴率情報を受信し、
前記検索手段は、前記複数のシーン情報の中から、前記視聴率情報に基づき前記１以上の条件対応シーン情報を検索する請求項４のシーン再生装置。
【請求項７】
前記通信手段は、人気シーン情報を受信し、
前記検索手段は、前記複数のシーン情報の中から、前記人気シーン情報に基づき前記１以上の条件対応シーン情報を検索する請求項４のシーン再生装置。
【請求項８】
前記通信手段は、人気サイト情報を受信し、
前記検索手段は、前記複数のシーン情報の中から、前記人気サイト情報に基づき前記１以上の条件対応シーン情報を検索する請求項４のシーン再生装置。
【請求項９】
前記通信手段は、フレンドおすすめ情報を受信し、
前記検索手段は、前記複数のシーン情報の中から、前記フレンドおすすめ情報に基づき前記１以上の条件対応シーン情報を検索する請求項４のシーン再生装置。
【請求項１０】
前記提示手段は、カテゴリ別に条件対応シーン情報を提示する請求項４のシーン再生装置。
【請求項１１】
前記再生手段は、シーン連続再生の指示に対応して、検索された複数の条件対応シーン情報に対応する複数のシーンを連続再生する請求項４のシーン再生装置。
【請求項１２】
サーバから１以上のコンテンツの１以上のシーンに対応する１以上のシーン情報を受信する手順と、
選択操作に対応して、前記１以上のシーン情報の中から第１のシーン情報を選択する手順と、
前記第１のシーン情報に対応する、第１のコンテンツの第１のシーンを検出する手順と、
前記第１のシーンを再生する手順と、
をコンピュータに実行させるためのシーン再生プログラム。
【請求項１３】
サーバから１以上のコンテンツの１以上のシーンに対応する１以上のシーン情報を受信し、
選択操作に対応して、前記１以上のシーン情報の中から第１のシーン情報を選択し、
前記第１のシーン情報に対応する、第１のコンテンツの第１のシーンを検出し、
前記第１のシーンを再生するシーン再生方法。
【発明の詳細な説明】
【技術分野】
【０００１】
本発明の実施形態は、シーン再生装置、シーン再生プログラム、及びシーン再生方法に関する。
【背景技術】
【０００２】
近年、インターネット上のサイトを閲覧可能なデジタルＴＶ（ＤＴＶ）が普及している。ＤＴＶは、放送コンテンツを受信し再生することもできるし、インターネット上の各種サイトの情報を出力することもできる。さらには、ＤＴＶは、各種サイトを介して商品の購入手続きを受け付けることもできる。
【先行技術文献】
【特許文献】
【０００３】
【特許文献１】特開２００２−３２３９６号公報
【発明の概要】
【発明が解決しようとする課題】
【０００４】
上記したように、ＤＴＶは、放送コンテンツの再生機能だけでなく、ネットワーク通信機能も備えるが、夫々の機能は別々に利用されることが多く、夫々の機能を融合した利用は未成熟である。これらの機能を融合し、サービスの向上を図る技術が望まれている。
【０００５】
また、近年のＤＴＶ又はレコーダ等は、非常に多くのコンテンツを記録することができるが、記録された非常に多くのコンテンツを効率よく再生したいという要望が挙げられている。
【０００６】
本発明の目的は、効率よくコンテンツを再生することができるシーン再生装置、シーン再生プログラム、及びシーン再生方法を提供することである。
【課題を解決するための手段】
【０００７】
実施形態のシーン再生装置は、通信手段と、選択手段と、検出手段と、再生手段とを備える。前記通信手段は、サーバから１以上のコンテンツの１以上のシーンに対応する１以上のシーン情報を受信する。前記選択手段は、選択操作に対応して、前記１以上のシーン情報の中から第１のシーン情報を選択する。前記検出手段は、前記第１のシーン情報に対応する、第１のコンテンツの第１のシーンを検出する。前記再生手段は、前記第１のシーンを再生する。
【図面の簡単な説明】
【０００８】
【図１】実施形態に係るシステム構成の概要の一例を示す図である。
【図２】実施形態に係るシステム構成の概要の一例を示す図である。
【図３】実施形態に係るシステム構成の概要の一例を示す図である。
【図４】本実施形態で使用する用語、略語の定義、意味を示す図である。
【図５】実施形態に係るソフトウェア構成の一例を示す図である。
【図６Ａ】Scenefo、SceneListの機能の一例を示す図である。
【図６Ｂ】Scenefo、SceneListの機能の一例を示す図である。
【図６Ｃ】Scenefo、SceneListの機能の一例を示す図である。
【図７】Scenefo/SceneListの画面遷移の一例を示す図である。
【図８】アプリケーション起動の画面遷移の一例を示す図である。
【図９】本実施形態で使用する用語、略語の定義、意味を示す。
【図１０】実施形態に係る各種サーバの連携の一例を示す図である。
【図１１】実施形態に係るメタデータサーバの概略構成の一例を示す図である。
【図１２Ａ】シーン情報に含まれるメタデータの一例を示す図である。
【図１２Ｂ】シーン情報に含まれるメタデータの一例を示す図である。
【図１２Ｃ】シーン情報に含まれるメタデータの一例を示す図である。
【図１２Ｄ】シーン情報に含まれるメタデータの一例を示す図である。
【図１３】実施形態に係るシステム構成の詳細の一例を示す図である。
【図１４】シーン情報を利用したサービス提供のイメージを示す図である。
【図１５Ａ】画面遷移の概要を例示する図である。
【図１５Ｂ】画面遷移の概要を例示する図である。
【図１５Ｃ】画面遷移の概要を例示する図である。
【図１５Ｄ】画面遷移の概要を例示する図である。
【図１６】画面遷移の詳細を例示する図である。
【図１７】画面遷移の詳細を例示する図である。
【図１８】画面遷移の詳細を例示する図である。
【図１９】画面遷移の詳細を例示する図である。
【図２０】画面遷移の詳細を例示する図である。
【図２１】画面の一例を示す図である。
【図２２】画面の一例を示す図である。
【図２３】画面の一例を示す図である。
【図２４】画面の一例を示す図である。
【図２５Ａ】ScenePlayの機能一覧の一例を示す図である。
【図２５Ｂ】ScenePlayの機能一覧の一例を示す図である。
【図２５Ｃ】ScenePlayの機能一覧の一例を示す図である。
【図２６】ScenePlayの画面遷移の一例を示す図である。
【図２７】クラウドメニュー画面の一例を示す図である。
【図２８】遷移後の画面の一例を示す図である。
【図２９】遷移後の画面の一例を示す図である。
【図３０】遷移後の画面の一例を示す図である。
【図３１】遷移後の画面の一例を示す図である。
【図３２】遷移後の画面の一例を示す図である。
【図３３】遷移後の画面の一例を示す図である。
【図３４】クラウドメニュー画面の一例を示す図である。
【図３５】瞬間視聴率トップ３０の一例を示す図である。
【図３６】人気シーントップ３０の一例を示す図である。
【図３７】フレンドのおすすめシーン情報の一例を示す図である。
【図３８】今日のホットワードに対応するシーン情報の一例を示す図である。
【図３９】ユーザカスタマイズのシーン再生画面の一例を示すである。
【発明を実施するための形態】
【０００９】
以下、実施形態について図面を参照して説明する。
【００１０】
図１〜図３は、実施形態に係るシステム構成の概要の一例を示す図である。実施形態に係るシステムは、各種サーバ（タグリストサーバＳ１１、メタデータ作成サーバＳ２、通販サイトサーバＳ３）とクライアント端末（例えばＤＴＶ）１により構成され、さらに、モバイル端末（タブレットPC、スマートフォンなど）２を利用することができる。なお、本実施形態では、システム構成の一つに、クライアント端末としてＤＴＶ（Digital TV）を適用するケースについて説明するが、ＤＴＶに限定されるものではない。ユーザインターフェース、通信機能、コンテンツ処理機能、コンテンツ出力機能、及び記憶機能等を備えたデバイスであればどのようなデバイスであってもよい。そのデバイスの一例として、デジタルレコーダ等が挙げられる。
【００１１】
以下、ＤＴＶに搭載されるタイムクラウド機能である“Scenefo/SceneList/ScenePlay”アプリケーションについて説明する。Scenefoは、シーン情報を意味する。SceneListは、シーン情報を集めたリストを意味する。ScenePlayは、シーン情報を利用した再生を意味する。
【００１２】
タイムクラウドはメタデータ作成会社、ユーザ、又はbotなどによって作成されたタグ又はシーン情報と映像コンテンツを結びつけるサービスであり、以下の3つの機能から構成される。
【００１３】
<Scenefo>
図１に示すように、Scenefoは、再生中の気になるシーンのシーン情報を提供する機能。ここで利用するタグリスト（登録商標）は、例えば、メタデータ作成会社が提供する企業作成タグリスト。なお、ユーザが作成したユーザ作成タグリストを利用してもよい。
【００１４】
図１に示すように、本システムによれば、以下の処理を経て以下のサービスを提供することができる。
【００１５】
０．タグリスト登録
１．コンテンツ再生
２．Scenefo起動
３．企業作成タグリストの送受信
４．商品提示（表示）
５．商品選択（入力操作）
６．商品ページの提供（表示）
<SceneList>
図２に示すように、SceneListは、再生中に視聴したいシーンだけを選択視聴する機能。ユーザ作成タグリスト、タグbotタグリスト、メタデータ作成会社が提供する企業作成タグリストなど、様々なタグリストの中から利用したいタグリストから視聴したいシーンを選んで視聴する。
【００１６】
０．タグリスト登録
１．コンテンツ再生
２．SceneList起動
３．タグリスト一覧の送受信
４．タグリスト選択（入力操作）
５．タグリストの送受信
６．タグジャンプ
<ScenePlay>
図３に示すように、ScenePlayは、再生可能な映像コンテンツの多数のシーン情報からユーザが興味のあるシーンを探して視聴する機能。おすすめシーンから気になるシーンを発見し、そのまま気になるシーンを選んで視聴する。利用できるタグリストはユーザ作成タグリストやタグbotタグリスト、メタデータ作成会社が提供する企業作成タグリストなど、様々なタグリストが対象となる。
【００１７】
０．タグリスト登録
１．ScenePlay起動
２．レコメンド処理
３．タグ一覧の送受信
４．タグ選択（入力操作）
５．タグ位置からコンテンツ再生
図４は、本実施形態で使用する用語、略語の定義、意味を示す。
【００１８】
図５は、実施形態に係るソフトウェア構成の一例を示す図である。タイムクラウドアプリケーションは大きくキーイベント処理を担うControlerと画面表示を担うViewとDTV MWやサーバからの情報取得やDTV操作を担うmodelからなる。例えば、各種ＤＴＶ機能モジュールは、Secenefo、SceneList、ScenePlay 機能を実現するためのモジュールを含み、さらに、ＤＴＶの基本的な機能であるコンテンツの再生、記録を実現するためのモジュール、コンテンツ、シーン等を検索するためのモジュールを含む。
【００１９】
図６Ａ、図６Ｂ、及び図６Ｃは、Scenefo、SceneListの機能の一例を示す。
【００２０】
図７は、Scenefo/SceneListの画面遷移の一例を示す。  
ＤＴＶにおいて、映像コンテンツが再生された時点（再生初期画面）ではScenefo/SceneListアプリケーションは未起動状態であり、ユーザ操作によってScenefo/SceneListアプリケーションが起動される。このときアプリケーションの起動と同時にブラウザも起動される。アプリケーション起動の画面遷移を図８に示す。画面遷移の際にメタデータサーバからタグリストに関連するデータを取得する。
【００２１】
次に、メタデータサーバ等について詳細に説明する。
【００２２】
メタデータサーバは、タイムクラウドサービスのSecenefo、SceneList、ScenePlay 機能を実現するために必要な番組メタデータ情報を管理するサーバである。サービスで使用するメタデータは、データ提供元のメタデータ作成サーバから取得する。メタデータサーバは、取得したメタデータを用いて、番組内の１シーンの詳細情報を示すシーン情報を生成し、クライアント端末に送信する。
【００２３】
図９は、本実施形態で使用する用語、略語の定義、意味を示す。
【００２４】
図１０は、実施形態に係る各種サーバの連携の一例を示す図である。
【００２５】
メタデータサーバＳ１１は、メタデータ作成サーバＳ２からメタデータを取得し、メタデータサーバＳ１１のデータベースに格納する。取得したメタデータの一部は、端末のタグ処理アプリケーションと互換性のある形式に変換し、タグリスト情報を管理するタグリストサーバＳ１２に登録する。メタデータサーバＳ１１は、クライアント端末の要求に応じて必要なメタデータをシーン情報に変換し、クライアント端末に送信する。また、タイムクラウドサービスで使用するユーザ作成のタグリスト情報についても、クライアント端末はメタデータサーバＳ１１を経由してタグリストサーバＳ１２から取得することも可能とする。
【００２６】
図１１は、実施形態に係るメタデータサーバの概略構成の一例を示す図である。
【００２７】
メタデータサーバが提供する機能について記載する。
【００２８】
（１）コマンド(Web API)処理
メタデータサーバＳ１１は、各種データを取得し、クライアント端末へ提供する。例えば、メタデータサーバＳ１１は、以下のデータを取得し、クライアント端末へ提供する。
【００２９】
＜シーン情報リストの取得＞
指定した条件に一致する番組のシーン情報リストを取得する。指定条件に一致する番組のシーン情報リストが複数存在する場合は、全て取得する。条件一致するシーン情報リストが存在しない場合は、その旨が通知される。取得するシーン情報リスト中にタグリストサーバＳ１２に登録されているユーザ作成のタグリストを含めることも可能とする。
【００３０】
＜シーン情報リストが存在する番組一覧の取得＞
指定した条件のシーン情報リストが存在する”番組の一覧”を取得する。取得する番組一覧中に、タグリストサーバＳ１２に登録されているユーザ作成のタグリストが存在する番組を含めることも可能とする。
【００３１】
＜シーン情報リスト一覧の取得＞
指定した番組に登録されている”シーン情報リストの一覧”を取得する。取得するリスト一覧中に、タグリストサーバＳ１２に登録されているユーザ作成のタグリストの一覧を含めることも可能とする。
【００３２】
＜シーン情報リストの取得＞(ID指定)
指定したIDの”シーン情報リスト”を取得する。タグリストID を指定した場合は、タグリストサーバＳ１２に登録されているユーザ作成のタグリストを取得する。
【００３３】
＜シーン情報の検索＞
指定した検索条件に一致するシーン情報を含むシーン情報リストを取得する。検索条件には、ユーザが入力する任意キーワードを指定可能なものとする。
【００３４】
＜おすすめシーン情報の取得＞
レコメンドエンジンＲＥが算出した”おすすめシーン”情報を取得する。
【００３５】
＜お気に入りシーン情報の取得＞
サーバが管理するユーザが登録した”お気に入りシーン”情報を取得する。
【００３６】
（２）メタデータ取得処理
メタデータ作成サーバＳ２が提供するメタデータを取得する。メタデータ作成サーバＳ２が提供するメタデータの取得には、メタデータ作成サーバＳ２が提供するWeb APIを使用する。
【００３７】
（３）タグリスト生成/登録処理
メタデータ中の番組放送履歴データをタグリストサーバＳ１２にタグリストとして登録する。登録したメタデータは既存タグリストと互換性を持ち、端末のアプリケーションから利用可能。
【００３８】
（４）シーン情報生成/送信処理
メタデータ作成サーバＳ２から取得したメタデータをもとにシーン情報を生成し、クライアント端末に送信する。シーン情報生成時に実行する処理を下記に示す。
【００３９】
（４．１）番組情報の引き当て
クライアント端末は、（ａ）番組名（又は番組ＩＤ等の識別情報）、（ｂ）番組放送日時、（ｃ）チャンネル番号を送信する。メタデータサーバは、クライアント端末から受信した、（ａ）番組名、（ｂ）番組放送日時、（ｃ）チャンネル番号に基づき、メタデータサーバ内のデータベースを検索し、１以上のシーン情報が登録された該当番組が存在する場合は、その番組の１以上のシーン情報を生成した後、クライアント端末に送信する。該当する番組が複数存在する場合は、全ての候補をクライアント端末に送信する。該当する番組が存在しない場合は、その旨をクライアント端末に送信する。
【００４０】
つまり、クライアント端末は、メタデータサーバに対して、コンテンツの識別情報（番組名、番組放送日、チャンネル番号等）を送信し、メタデータサーバからコンテンツの複数のシーンに対応する複数のシーン情報を受信する。
【００４１】
（４．２）シーン情報の検索
クライアント端末から受信した検索条件に一致するメタデータ情報をメタデータサーバ内のデータベースから検索し、該当するメタデータ情報を含むシーン情報リストをクライアント端末に送信する。検索対象のメタデータは、番組放送履歴データ、商品データ（商品名など）、商品取り扱い企業データ（企業名など）、店舗データ、ＣＭ放送履歴データとする。
【００４２】
（４．３）シーン情報の生成
メタデータサーバ内のデータベースに格納された放送履歴データ、商品データ、商品取り扱い企業データ、店舗データ、ＣＭ放送履歴データを関連付け、シーン情報を生成する。生成するシーン情報に含まれるメタデータの一覧を図１２Ａ、図１２Ｂ、図１２Ｃ、図１２Ｄに示す。
【００４３】
なお、１シーン情報内に商品情報、店舗情報が存在しない場合もある。また１シーン情報内に複数の商品データ、商品取り扱い企業データ、店舗データが関連付けられる場合もある。
【００４４】
（４．４）タグリスト情報とシーン情報のマージ処理
タグリストサーバが管理するタグリスト情報と、メタデータサーバ内で生成するシーン情報を、クライアント端末の要求に応じてメタデータサーバでマージし、クライアント端末に送信する。また、タグリストサーバから取得するタグ情報にはタグ終了時間が記載されていないため、クライアント端末からの要求に応じて、注目するタグの次タグの開始時間を現タグの終了時間として設定する処理を、メタデータサーバにて実行する。
【００４５】
（４．５）タグリスト取得処理
メタデータサーバは、クライアント端末からの要求に応じて、タグリストサーバに登録されているタグリスト情報を取得し、必要な処理を実施した後、クライアント端末に送信する。タグリストサーバからのデータ取得は、タグリストサーバが提供するAPIを使用する。メタデータサーバがタグリストサーバから取得するデータは、タグ及びタグリストに関するものとする。
【００４６】
（４．６）送信フォーマット変換処理
クライアント端末からの要求に応じて、タグリストサーバから取得したＸＭＬフォーマットのタグリスト情報をＪＳＯＮフォーマットに変換し、クライアント端末に送信する。
【００４７】
図１３は、実施形態に係るシステム構成の詳細の一例を示す図である。上記説明したように、本システムは、各種サーバとクライアント端末（例えばＤＴＶ）１により構成され、さらに、モバイル端末（タブレットPC、スマートフォンなど）２を利用することができる。
【００４８】
ＤＴＶは、各種のボタン、キーの押下を検出し、ボタン、キーに応じた動作を実行する。例えば、ＤＴＶは、番組「再生中」に、気になるボタンの押下を検出すると、その時点の「シーン」の情報（Scenefo）にアクセスし、各種アプリケーションを開き、その「シーン」に関連するサービスを提供することができる。つまり、気になるボタンとは、番組「再生中」に、その時点の「シーン」の情報へのアクセスを指示するためのボタンである。例えば、例えば上記したScenefoアプリケーションが起動し、その「シーン」に関連するサービスを提供する。つまり、ユーザは、気になるボタンを押下すると、ＤＴＶとScenefoアプリケーションの協働により、その時点の「シーン」に応じた、サービスの提供を受けることができる。
【００４９】
例えば、ＤＴＶが、番組（コンテンツ）の複数のシーンを順に再生し、ユーザが、「再生中」に気になるボタンを押すと、ＤＴＶは、このボタン押下（シーン情報要求）を検知し、画面を切り替えて、そのシーンに関連する情報（シーン情報）を出力する。ＤＴＶは、シーンが替わる毎に、出力するシーン情報も順次、切り替える。
【００５０】
例えば、ＤＴＶは、記録された番組を再生する際に、番組の複数シーンのうちの再生中の第１のシーンに対応する第１のシーン情報を出力し、前記第１のシーン情報とともに、前記第１のシーンより前の第２のシーンに対応する第２のシーン情報を出力し、前記第１のシーン情報とともに、前記第１のシーンより後の第３のシーンに対応する第３のシーン情報を出力する。なお、ＤＴＶは、番組の再生映像とともに、前記第１、第２、第３のシーン情報を出力し、前記第１のシーン情報と、前記第２及び第３のシーン情報とを異なる表示形式で出力する。例えば、前記第１のシーン情報を第１の表示色で出力し、前記第２及び第３のシーン情報を第２の表示色で出力する。
【００５１】
さらに、シーン情報について詳細に説明する。
【００５２】
（１）ＤＴＶは、出力（表示）したシーン情報の選択を検出すると、シーン情報の元になったシーンに関連するリンク（サービス情報）を出力する。ユーザは、ＤＴＶに出力されるリンク（例えば商品の購入サイトのＵＲＬ、所プリアドレスヘッダの予約サイトのＵＲＬ）を介して、そのシーンに関連する商品を購入したり、そのシーンに関連するサービスを提供する店舗を予約したりすることができる。また、そのシーンに関連するリンクをカーナビゲーションへ転送したり、そのシーンに関連するマップを開いたりすることもできる。
【００５３】
（２）ＤＴＶは、出力（表示）したシーン情報の選択を検出すると、シーン情報の元になったシーンに関連する、モバイル端末のアプリケーションを開く。
【００５４】
（３）ＤＴＶは、出力（表示）したシーン情報の選択を検出すると、シーン情報の元になったシーンに関連する情報をお気に入り登録する
（４）ＤＴＶは、出力（表示）したシーン情報の選択を検出すると、シーン情報の元になったシーンに関連する情報をメールで送信するためのメール送信画面を出力し、所定の選択又は入力操作に対応して、メールを送信する。
【００５５】
（５）ＤＴＶは、出力（表示）したシーン情報の選択を検出すると、シーン情報の元になったシーンに関連する情報をフレンドにメッセージ送信する。
【００５６】
また、番組のユーザ評価を指示する、いいねボタンは、色々なタイミングで押せる。つまり、ＤＴＶは、番組「再生中」に、いいねボタンの押下（シーン情報要求）を検出すると、その時点の「シーン」の情報（シーン情報）にアクセスし、「シーン」の情報をデータベース化することができる。
【００５７】
いいねボタンの押下を示す情報は、シーンのタグに対応付けることもできるし、リストに対応付けることもできるし、番組に対応付けることもできるし、特定シーンに対応付けることもできる。
【００５８】
図１４に示すように、ＤＴＶは、ポータルからサービスを起動し、気になるシーンの情報を表示することもできるし、ショッピングサイトで気になる商品をすぐに購入することもできる。
【００５９】
上記したように、実施形態に係るシステムでは、細かなシーン毎に、そのシーンにあった関連情報をタイムリーに提示させることができる。
【００６０】
以下、具体的に説明する。
【００６１】
<動作仕様>
ＤＴＶが、PVR又はタイムシフトマシンのコンテンツ再生中に、[Scenefo]キー押下を検出すると、再生位置の最近傍前のScenefoにフォーカスを当てた状態でScenefoを一覧表示する。なお、[Scenefo]キーに替わる、他の入力をトリガとして、上記一覧表示を実現するようにしてもよい。タイムシフトマシンとは、現在から遡って一定期間分（例えば過去１５日分）の複数チャンネル（例えば６チャンネル）の放送コンテンツを記録（全記録）するもので、タイムシフトマシンによる全記録が実行されている場合、ユーザは、過去に放送された番組（例えば過去１５日分）をいつでも視聴することができる。
【００６２】
例えば、Scenefo一覧では、Scenefoの一部（２行くらい）がリスト表示される。
【００６３】
Scenefoが存在しないケースでは、「Scenefoがありません。SceneListを表示しますか？」のダイアログを表示し、Yesの場合、SceneList選択画面に遷移する。
【００６４】
ＤＴＶは、Scenefo一覧表示中に [上] 又は [下] キー押下を検出すると、Scenefoカーソルを移動する。
【００６５】
ＤＴＶは、任意のScenefoにカーソルが当たった状態で [決定] キー押下を検出すると、カーソルが当たったScenefoに対応するシーンを再生する（再生ジャンプ）。
【００６６】
ＤＴＶは、Scenefo一覧の表示中に[戻る] 又は [終了] キー押下を検出すると、Scenefo一覧を閉じる。
【００６７】
ＤＴＶは、Scenefo一覧の表示中に任意のScenefoにカーソルが当たった状態で [右] キー押下を検出すると、Scenefoの詳細情報を表示する。Scenefoの詳細情報は、Scenefo全てを含む。Scenefoの詳細情報は、Scenefoの内容に応じたアクションボタンを含む。
【００６８】
例えば、以下の機能に対応するアクションボタンを含む。
【００６９】
「このシーンをお気に入り登録する」
「いいね！」／「いいね！を取り消す」／「いいね！カウント付き」
「テレビでショッピングサイトを開く」
「アプリケーションでショッピングサイトを開く」
「このScenefoをメールで送信する」
ＤＴＶは、「このシーンをお気に入り登録する」ボタンの押下を検出すると、対応するシーンをお気に入り登録する（後で纏め買いしたり、再度このシーンを観たいなどのユースケースに利用できる）。
【００７０】
サーバは、TV/アプリケーション等で共通利用するために、お気に入りScenefoを管理する。
【００７１】
ＤＴＶは、「いいね！」ボタン押下により、Scenefoに対応付けて、いいね！を示すログをサーバにアップロードする。これにより、Scenefo対応付けられた、いいね！のカウントが増える。
【００７２】
ＤＴＶは、「テレビでショッピングサイトを開く」ボタン押下を検出すると、ブラウザでショッピングサイトを開く。
【００７３】
ＤＴＶは、「アプリケーションでショッピングサイトを開く」ボタン押下を検出すると、アプリケーションにショッピングサイトのURLを渡す。アプリケーションは、URLに基づきショッピングサイトを開く。
【００７４】
ＤＴＶが、ショッピングサイトを表示したとしても、ユーザが、ＤＴＶのリモートコントローラ等でショッピング決済手続きを済ませる負担は大きい。そこで、上記の通り、ＤＴＶが、モバイル端末２のアプリケーションに対して、ショッピングサイトのURLを送信し、ショッピングサイト決済手続き等をモバイル端末２のアプリケーションで続ける旨を案内する。ユーザは、例えばモバイル端末２のタッチ入力機能を利用し、手元で、モバイル端末２を使ってショッピング決済手続き等を済ませることができる。
【００７５】
なお、ＤＴＶは、ショッピングサイトを表示する際に、ＤＴＶ本体側でショッピングサイトを表示する第１のモードと、モバイル端末２側でショッピングサイトを表示する第２のモードの何れかのモードの選択を受け付ける。ユーザが、第２のモードを選択した場合、ＤＴＶは、ショッピングサイトを表示せずに、モバイル端末２のアプリケーションに対して、ショッピングサイトのURLを送信する。例えば、サーバ経由で、ＤＴＶは、モバイル端末２のアプリケーションへショッピングサイトのURLを転送する。モバイル端末２は、受け取ったショッピングサイトのURLに基づき、ショッピングサイトを表示する。
【００７６】
なお、ここでは、ＤＴＶの代わりにモバイル端末２が、ショッピングサイトを表示するケースについて説明したが、ＤＴＶのあらゆる表示等をモバイル端末２で実現するようにしてもよい。つまり、ＤＴＶは、ショッピングサイトのURLだけでなく、あらゆるサイトのURLをモバイル端末２へ送信することにより、モバイル端末２であらゆるサイトを表示することができる。
【００７７】
ＤＴＶは、「このScenefoをメールで送信する」ボタン押下を検出すると、送信先メールアドレス選択画面を表示する。送信先メールアドレス選択画面は、メール予約用などで設定されているメールアドレスを候補として提示し、メールアドレスの選択を受け付けることができる。また、送信先メールアドレス選択画面は、メールアドレスの入力を受け付けることもできる。ユーザが、メールアドレスを選択して [送信] ボタンを押下すると、ＤＴＶは、メールアドレスの選択及び[送信] ボタンの押下を検出して、メールを送信する。
【００７８】
ＤＴＶは、Scenefo一覧の表示中あるいはScenefo詳細の表示中に切換ボタンの押下を検出すると、「フル映像＋オーバーレイScenefo」表示と「映像とScenefoの分割」表示を切り換える。
【００７９】
ＤＴＶは、コンテンツ再生中に [左] [右] キー押下を検出すると、Scenefo又はSceneListの「前へ」「次へ」再生ジャンプする。
【００８０】
ＤＴＶは、最後に利用したもの（Scenefo又はSceneListの特定のリスト）をベースに動作し、デフォルトの設定ではScenefoをベースに動作し、Scenefoが無いかつ当該コンテンツ再生中に一度もSceneListを使っていない場合は何も動作しない
ＤＴＶは、Scenefo一覧の表示中に [SceneList利用] ボタン押下を検出すると、SceneListの選択画面に遷移する。
【００８１】
例えば、ＤＴＶは、既存の「タグリスト利用」からScenefoもタグリストの１つとして利用できるようにする。
【００８２】
また、ＤＴＶは、１つのScenefoから、CMのみ、商品情報のみ、のようにいくつかのタグリストとして表示することもできる。
【００８３】
ＤＴＶは、[Scenefo] ボタンの押下を検出すると、現在再生位置の最近傍前のScenefoの詳細情報を表示する
ＤＴＶは、常に、現在再生位置の最近傍のScenefoを表示する。
【００８４】
ＤＴＶは、「アプリケーションでショッピングサイトを開く」ボタンの押下を検出すると、ショッピングサイトのURLを受けて、ショッピングサイトをアプリケーション内ブラウザで開く。
【００８５】
ＤＴＶは、[お気に入りScenefo] ボタンの押下を検出すると、お気に入り一覧を表示し、さらに「ショッピングサイトを開く」等のアクションに対応し、ショッピングサイトを開く。
【００８６】
<関連ログアップロード要件>
ＤＴＶについて
ＤＴＶは、通常モードで [Scenefo] キー押下を検出すると、Scenefo一覧を表示した（Scenefoモード開始）再生位置、Scenefoをアップロードする。
【００８７】
ＤＴＶは、Scenefo一覧から [決定] キー押下の検出に対応して、シーンジャンプに利用されたScenefoをアップロードする。
【００８８】
ＤＴＶは、Scenefo一覧から [右] キー押下の検出に対応して、Scenefoの詳細表示に利用されたScenefoをアップロードする。
【００８９】
ＤＴＶは、Scenefo詳細から得られた購入サイト、商品サイト、店舗サイト、又は地図サイトのＵＲＬ等をアップロードする。
【００９０】
ＤＴＶは、Scenefo詳細をアプリケーションに転送した場合、Scenefo詳細に対応するScenefoをアップロードする。
【００９１】
ＤＴＶは、Scenefo詳細をメール送信した場合、Scenefo詳細に対応するScenefoをアップロードする。
【００９２】
ＤＴＶは、「いいね！」が指定されたScenefoをアップロードする。
【００９３】
ＤＴＶは、お気に入り登録されたScenefoをアップロードする。
【００９４】
端末について
端末は、[Scenefo] キー押下によりScenefoを表示した場合、Scenefoの再生位置、Scenefoをアップロードする。
【００９５】
端末は、Scenefo詳細から得られた購入サイト、商品サイト、店舗サイト、又は地図サイトのＵＲＬ等をアップロードする。
【００９６】
端末は、Scenefo詳細をメール送信した場合、Scenefo詳細に対応するScenefoをアップロードする。
【００９７】
端末は、「いいね！」が指定されたScenefoをアップロードする。
【００９８】
端末は、お気に入り登録されたScenefoをアップロードする。
【００９９】
なお、Scenefoもタグリストのひとつとして、タグリスト利用ログもアップロードする。
【０１００】
次に、画面遷移の一例について説明する。図１５Ａ、図１５Ｂ、図１５Ｃ、図１５Ｄは、画面遷移の一例を示す図である。図１６〜図２０は、画面遷移の詳細の一例を示す図である。図２１〜図２４は、各画面の一例を示す図である。
【０１０１】
例えば、ＤＴＶ１が、再生初期状態又はブラウザ初期状態で、例えば記録コンテンツ（録画番組）の再生画面を表示している状況で（図１５ＡのSF-000/SF-999）、「気になる！」キー押下を検出すると、再生中のシーン情報、再生後のシーン情報、及び再生前のシーン情報を一覧表示する。
【０１０２】
図２１は、シーン情報の一覧表示の一例を示す図である。ＤＴＶ１は、記録コンテンツ（録画番組）の再生中に、「気になる！」キー押下を検出すると、例えば、再生中のシーン（再生位置）をお気に入りへ登録し、また、クラウドざんまいの気になる！シーン一覧へ登録し、クラウドメニューのInboxにメッセージを通知する。さらに、ＤＴＶ１は、複数のシーン情報を一覧表示する（再生中のシーン情報、再生後のシーン情報、及び再生前のシーン情報を表示する）。また、シーン情報は、商品情報アイコン等を含み、ユーザは、商品情報アイコンを選択するだけで、シーンに応じた商品情報サイト、商品購入サイトを見ることができる。
【０１０３】
また、ＤＴＶ１が、再生初期状態又はブラウザ初期状態で、例えば放送コンテンツ（ＯＡ番組）の再生画面（リアルタイム再生画面）を表示している状況で（図１５ＡのSF-000/SF-999）、「気になる！」キー押下を検出すると、図２２に示すように、ＤＴＶ１は、再生中のシーン（放送位置）をクラウドざんまいの気になる！シーン一覧へ登録し、クラウドメニューのInboxにメッセージを通知する。さらに、ＤＴＶ１は、再生中のシーンから記録を開始する。
【０１０４】
上記の通り、再生状況に応じて、「気になる！」キー押下に基づく処理が切り換わる。つまり、記録コンテンツの再生中に「気になる！」キー押下が検出されると、シーン情報が表示され、放送コンテンツの再生中に「気になる！」キー押下が検出されると、記録が開始される。
【０１０５】
図２３は、ＤＴＶにより表示されるクラウドメニューの一例を示す図である。上記メッセージの通知は、メッセージアイコン上に反映される。また、シーンリストアイコンを選択し、図２４のシーン一覧画面を表示することもできる。つまり、上記登録されたシーン情報をシーン一覧画面から選択することができる。例えば、ユーザが所望の登録シーン情報を選択すれば、ＤＴＶ１は、選択された所望の登録シーン情報に対応するシーンを再生する。また、ユーザが、複数の登録シーン情報に基づく連続再生を選択すれば、ＤＴＶ１は、複数の登録シーン情報に対応する複数のシーンを繋げて連続再生する。また、ユーザが、登録シーン情報に含まれた商品アイコン、ショップアイコン等を選択すれば、ＤＴＶ１は、商品情報サイト、商品購入サイト、ショップサイト等を表示する。
【０１０６】
以下、タイムクラウドのレコメンド仕様の一例を示す。
【０１０７】
<おすすめシーン>
・イチオシシーン
視聴ログから高視聴率な時間帯を算出し、対応するデータのシーンを高視聴率シーンとする。そのうちユーザが録画している番組のシーンをおすすめする。
【０１０８】
・人気シーン
タイムクラウドでのタグジャンプのログからタグジャンプの多かったタグ・シーンを算出し、そのうちユーザが録画している番組のシーン・タグをおすすめする。
【０１０９】
・みんなの気になるシーン
タイムクラウド利用者が「お気に入り」に入れたシーン・タグから、お気に入り登録の多いシーン・タグを算出し、そのうちユーザが録画している番組のシーン・タグをおすすめする。
【０１１０】
・Twitter盛り上がりシーン
放送局ハッシュタグに対するツイートから、ツイート数の多い時間帯を算出し、対応するメタデータ作成サーバで管理されたシーンを盛り上がりシーンとしておすすめする。
【０１１１】
・フレンドおすすめシーン
フレンドが「フレンドにメッセージ送信」したシーンをおすすめする。
【０１１２】
・ユーザおすすめシーンリスト
ユーザが自分の好きなタグ・シーンを集めて作成したシーンリストを提示する。
【０１１３】
・フレンド視聴シーン
フレンドのタグジャンプのログからタグジャンプの多かったタグ・シーンを算出し、そのタグ・シーンをおすすめする。
【０１１４】
・人気商品・店舗シーン
購入サイト（商品）へのジャンプ数を集計し、ジャンプ数の多い購入サイトをおすすめする。店舗サイト（店舗）へのジャンプ数を集計し、ジャンプ数の多い店舗サイトをおすすめする。
【０１１５】
・あなたへのおすすめシーン
パーソナライズしたおすすめ。他ユーザのプロフィール・視聴シーンログから、ユーザの嗜好にあったシーンを算出する。そのうちユーザが録画している番組のシーンをおすすめする。
【０１１６】
なお、上記の処理の手順は全てソフトウェア（シーン情報出力プログラム）によって実行することが可能である。このため、処理手順を実行するプログラム（アプリケーション）をクライアント端末又はモバイル端末へインストールして実行するだけで、上記処理を実現することができる。
【０１１７】
例えば、クライアント端末又はモバイル端末は、上記プログラムをサーバからダウンロードし、ダウンロードしたプログラムを記憶し、プログラムのインストールを完了することができる。或いは、クライアント端末又はモバイル端末は、コンピュータ読み取り可能な記憶媒体から上記プログラムを読み取り、読み取ったプログラムを記憶し、プログラムのインストールを完了することができる。
【０１１８】
以下、ＤＴＶのScenePlayによるシーン単位の再生について説明する。図２５Ａ、図２５Ｂ、図２５Ｃは、ScenePlayの機能一覧の一例を示す図である。
【０１１９】
例えば、ＤＴＶは、コンテンツの記録処理に対応して、記録コンテンツの記録ログをサーバへ送信する。記録ログは、ＤＴＶの識別情報及び記録コンテンツの識別情報（番組名、番組放送日、チャンネル番号、ＩＤ等）を含む。サーバは、ＤＴＶの識別情報に対応付けて記録コンテンツの識別情報を管理する。これにより、サーバは、ＤＴＶにより記録された全てのコンテンツを管理することができる。つまり、ＤＴＶにより再生可能な状態の全てのコンテンツを管理することができる。例えば、図１０に示す履歴収集サーバＳ１３が、各ＤＴＶで再生可能な状態の全てのコンテンツを管理する。なお、上記説明では、ＤＴＶにより記録された全てのコンテンツを再生可能な状態のコンテンツとしてとして説明したが、ＤＴＶに接続されたレコーダにより記録された全てのコンテンツも再生可能な状態のコンテンツとして含めることができる。コンテンツの記録先は、ＤＴＶに内蔵された記憶媒体（例えばハードディスク）であってもよいし、ＤＴＶに外部接続された記憶媒体であってもよいし、レコーダに内蔵された記憶媒体であってもよいし、レコーダに外部接続された記憶媒体であってもよい。
【０１２０】
サーバは、複数のコンテンツの夫々に含まれる複数のシーンに対応する複数のシーン情報を管理しており、サーバは、ＤＴＶで再生可能なコンテンツに対応するシーン情報をＤＴＶへ送信する。例えば、図１０に示すメタデータサーバＳ１１が、複数のシーン情報を管理し、シーン情報は識別情報（番組名、番組放送日、チャンネル番号、ＩＤ等）を含む。サーバは、ＤＴＶで再生可能な記録コンテンツの識別情報を管理しているので、このＤＴＶへ送信すべきシーン情報を検出することができ、ＤＴＶへ検出されたシーン情報を送信することができる。つまり、サーバは、ＤＴＶで再生可能な記録コンテンツの識別情報とシーン情報の識別情報とを比較し、例えば記録コンテンツの識別情報の少なくとも一部とシーン情報の識別情報の少なくとも一部とが一致する場合に、このシーン情報をＤＴＶへ送信する。
【０１２１】
ＤＴＶは、サーバから１以上のコンテンツの１以上のシーンに対応する１以上のシーン情報を受信する。ここでは、ＤＴＶが、サーバから複数のコンテンツの夫々の複数のシーンに対応する複数のシーン情報を受信することを前提とする。
【０１２２】
さらに、ＤＴＶは、サーバからの各種情報（以下説明する視聴率情報等）及び指定条件（キーワード等）のうちの少なくとも一方に基づき、複数のシーン情報の中から、お薦めの複数のシーン情報を検索し、検索したシーン情報を提示（表示）することができる。例えば、ＤＴＶは、カテゴリ別に、お薦めシーン情報を提示することができる（図２５Ｂ参照）。
【０１２３】
例えば、ＤＴＶは、サーバからの検索急上昇ワード情報（検索人気キーワード情報）に基づき、イチオシシーンとして複数のシーン情報を提示することができる。例えば、ＤＴＶは、検索急上昇ワード情報に含まれた検索急上昇ワードトップ１０に対応する複数のシーン情報を提示することができる。つまり、検索急上昇ワードトップ１０を含む複数のシーン情報を提示することができる。ＤＴＶは、上記した検索急上昇ワードトップ１０に対応する複数のシーン情報のうちの選択されたシーン情報に対応する１シーン（例えば検索急上昇ワード第１位に対応する１シーン）を再生することもできるし、検索急上昇ワードトップ１０に対応する複数のシーン情報に対応する複数のシーン（例えば検索急上昇ワード第１位〜第１０位までの複数のシーン）を連続再生することもできる。
【０１２４】
例えば、ＤＴＶは、サーバからの視聴率情報に基づき、イチオシシーンとして複数のシーン情報を提示することができる。例えば、ＤＴＶは、視聴率情報に含まれた視聴率トップ１０に対応する複数のシーン情報を提示することができる。視聴率情報は、複数のＤＴＶからの再生ログ等の集計結果に基づき生成され、視聴率第１位〜第１０位までのシーン情報のＩＤを含む。ＤＴＶは、上記した視聴率トップ１０に対応する複数のシーン情報のうちの選択されたシーン情報に対応する１シーン（例えば視聴率第１位に対応する１シーン）を再生することもできるし、視聴率トップ１０に対応する複数のシーン情報に対応する複数のシーン（例えば視聴率第１位〜第１０位までの複数のシーン）を連続再生することもできる。例えば、図３６に示すように、人気シーントップ３０に対応する複数のシーン情報を提示することもできる。
【０１２５】
シーン情報が選択されると、ＤＴＶは、選択されたシーン情報に含まれた識別情報に基づき、コンテンツ中のシーンを検出し、検出したシーンを再生する。例えば、１週間以内に放送され記録されたコンテンツを対象として、対象としたコンテンツからシーンを検出することができる。複数のシーン情報が選択されると、ＤＴＶは、選択された複数のシーン情報に含まれた複数の識別情報に基づき、複数のコンテンツ中の複数のシーンを検出し、検出した複数のシーンを再生する。例えば、１週間以内に放送され記録されたコンテンツを対象として、対象としたコンテンツから複数のシーンを検出することができる。また、図３５に示すように、瞬間視聴率トップ３０に対応する複数のシーン情報を提示することもできる。
【０１２６】
また、ＤＴＶは、サーバからの人気シーン情報（再生率が高いシーン情報）に基づき、人気シーンとして複数のシーン情報を提示することができる。例えば、ＤＴＶは、人気シーン情報に含まれた人気シーントップ１０に対応する複数のシーン情報を提示することができる。人気シーン情報は、複数のＤＴＶからの再生ログ等の集計結果に基づき生成され、人気シーン第１位〜第１０位までの人気シーン情報のＩＤを含む。ＤＴＶは、上記した人気シーントップ１０に対応する複数のシーン情報のうちの選択されたシーン情報に対応する１シーン（例えば人気シーン第１位に対応する１シーン）を再生することもできるし、人気シーントップ１０に対応する複数のシーン情報に対応する複数のシーン（例えば人気シーン第１位〜第１０位までの複数のシーン）を連続再生することもできる。例えば、図３６に示すように、人気シーントップ３０に対応する複数のシーン情報を提示することもできる。
【０１２７】
シーン情報が選択されると、ＤＴＶは、選択されたシーン情報に含まれた識別情報に対応する、コンテンツ中のシーンを検出し、検出したシーンを再生する。複数のシーン情報が選択されると、ＤＴＶは、選択された複数のシーン情報に含まれた複数の識別情報に対応する、複数のコンテンツ中の複数のシーンを検出し、検出した複数のシーンを再生する。
【０１２８】
また、ＤＴＶは、サーバからの人気サイト情報に基づき、人気サイト情報に関係するシーンとして複数のシーン情報を提示することができる。ＤＴＶは、人気サイト情報に含まれた人気サイトトップ１０に関係する複数のシーン情報を提示することができる。例えば、人気サイト情報は、サイトアクセス履歴等の集計結果に基づき生成され、人気サイト第１位〜第１０位までの人気サイト情報のＩＤを含む。ＤＴＶは、上記した人気サイトトップ１０に関係する複数のシーン情報のうちの選択されたシーン情報に対応する１シーン（例えば人気サイト第１位に対応する１シーン）を再生することもできるし、人気サイトトップ１０に関係する複数のシーン情報に対応する複数のシーン（例えば人気サイト第１位〜第１０位までの複数のシーン）を連続再生することもできる。
【０１２９】
また、図３７に示すように、ＤＴＶは、フレンドのおすすめシーン情報を提示することもでき、提示されたシーン情報の中から選択されたシーン情報に対応するシーンを再生することもできる。
【０１３０】
また、図３８に示すように、ＤＴＶは、今日のホットワードに対応するシーン情報を提示することもでき、提示されたシーン情報の中から選択されたシーン情報に対応するシーンを再生することもできる。
【０１３１】
例えば、ＤＴＶは、サッカーのゴールシーンだけを集めて連続再生することもできる。
【０１３２】
次に、画面遷移の一例について説明する。図２６は、ScenePlayの画面遷移の一例を示す図である。図２７は、クラウドメニュー画面の一例を示す図であり、図２８〜図３３は、遷移後の画面の一例を示す図である。
【０１３３】
例えば、ＤＴＶが、クラウドメニュー画面（図２７又は図３４参照）を表示し、クラウドメニュー画面からタイムクラウドが選択されると、ＤＴＶは、カテゴリ別のシーン再生画面（図２８参照）を表示する。例えば、カテゴリ別のシーン再生画面は、今日のイチオシシーン、人気シーンランキング、売れ筋商品ランキング、人気のお店ランキング、フレンドからのおすすめ、履歴からのおすすめ等の項目を含む。また、カテゴリ別のシーン再生画面（図２８参照）は、ユーザがカスタマイズすることができる。例えば、キーワード検索で該当したシーンを集めて、ユーザカスタマイズのシーン再生画面（図３９参照）を表示することもできる。
【０１３４】
さらに、ＤＴＶは、画面遷移により、シーン／番組検索画面（図２９参照）、詳細検索画面（図３０参照）、気になるシーン画面（図３１参照）、気になるシーン削除画面（図３２参照）、おすすめシーン／番組画面（図３３参照）等を表示する。
【０１３５】
上記説明したＤＴＶのScenePlayについてまとめる。
【０１３６】
ＤＴＶは、おすすめシーンの一覧を提示し、提示したおすすめシーンの一覧から選択されたシーンに基づき、ダイレクトに選択されたシーンを含む番組、又は選択されたシーンを特定して再生することができる。さらにおすすめシーンだけを繋いだ連続再生もできる。
【０１３７】
詳細は、以下の通り。
【０１３８】
・ＤＴＶは、おすすめをシーン単位で検索する。
【０１３９】
・ＤＴＶは、おすすめシーン、おすすめ番組、お気に入り、シーン検索を一覧表示する。
【０１４０】
・ＤＴＶは、代表的なおすすめSceneを複数提示する。
【０１４１】
・ＤＴＶは、ユーザが視聴できる番組（録画コンテンツ）を対象として、シーンを検索する。
【０１４２】
・ＤＴＶに上記を実現させるため、サーバは、各ＤＴＶからの録画／削除のログを記憶する。又は、ＤＴＶが、コンテンツの記録リストに基づき、サーバからシーン情報を検索するようにしてもよい。
【０１４３】
・ＤＴＶに接続されたレコーダ等に記憶されたコンテンツについても、ＤＴＶで視聴可能コンテンツとするようにしてもよい。
【０１４４】
・ＤＴＶは、お気に入りSceneだけは、再生できなくても、残す（商品の紹介などもいけるようにするため）。
【０１４５】
・ＤＴＶは、Scene検索履歴の検索式の履歴を残す。又は、ＤＴＶは、お気に入り検索キーを登録する。
【０１４６】
・ＤＴＶは、番組単位又はシーン単位の検索を選択できる。
【０１４７】
・ＤＴＶは、おすすめシーンのカテゴリを複数提示する。例えば、以下の通り。
【０１４８】
今日のイチオシ
人気シーン
売れ筋
フレンドおすすめ等
・ＤＴＶは、複数のシーンの連続再生時に、スキップの指示に対応して、現在のシーンの次のシーンを再生する、又は現在のシーンを含むコンテンツの次のコンテンツのシーンを再生する。
【０１４９】
なお、上記の処理の手順は全てソフトウェア（シーン再生プログラム）によって実行することが可能である。このため、処理手順を実行するプログラム（アプリケーション）をクライアント端末又はモバイル端末へインストールして実行するだけで、上記処理を実現することができる。
【０１５０】
例えば、クライアント端末又はモバイル端末は、上記プログラムをサーバからダウンロードし、ダウンロードしたプログラムを記憶し、プログラムのインストールを完了することができる。或いは、クライアント端末又はモバイル端末は、コンピュータ読み取り可能な記憶媒体から上記プログラムを読み取り、読み取ったプログラムを記憶し、プログラムのインストールを完了することができる。
【０１５１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１５２】
１…クライアント端末（ＤＴＶ）、２…モバイル端末、Ｓ１１…タグリストサーバ、Ｓ２…メタデータ作成サーバ、Ｓ３…通販サイトサーバ
【図１】
2014048808.tif 000003
【図２】
2014048808.tif 000004
【図３】
2014048808.tif 000005
【図４】
2014048808.tif 000006
【図５】
2014048808.tif 000007
【図６Ａ】
2014048808.tif 000008
【図６Ｂ】
2014048808.tif 000009
【図６Ｃ】
2014048808.tif 000010
【図７】
2014048808.tif 000011
【図８】
2014048808.tif 000012
【図９】
2014048808.tif 000013
【図１０】
2014048808.tif 000014
【図１１】
2014048808.tif 000015
【図１２Ａ】
2014048808.tif 000016
【図１２Ｂ】
2014048808.tif 000017
【図１２Ｃ】
2014048808.tif 000018
【図１２Ｄ】
2014048808.tif 000019
【図１３】
2014048808.tif 000020
【図１４】
2014048808.tif 000021
【図１５Ａ】
2014048808.tif 000022
【図１５Ｂ】
2014048808.tif 000023
【図１５Ｃ】
2014048808.tif 000024
【図１５Ｄ】
2014048808.tif 000025
【図１６】
2014048808.tif 000026
【図１７】
2014048808.tif 000027
【図１８】
2014048808.tif 000028
【図１９】
2014048808.tif 000029
【図２０】
2014048808.tif 000030
【図２１】
2014048808.tif 000031
【図２２】
2014048808.tif 000032
【図２３】
2014048808.tif 000033
【図２４】
2014048808.tif 000034
【図２５Ａ】
2014048808.tif 000035
【図２５Ｂ】
2014048808.tif 000036
【図２５Ｃ】
2014048808.tif 000037
【図２６】
2014048808.tif 000038
【図２７】
2014048808.tif 000039
【図２８】
2014048808.tif 000040
【図２９】
2014048808.tif 000041
【図３０】
2014048808.tif 000042
【図３１】
2014048808.tif 000043
【図３２】
2014048808.tif 000044
【図３３】
2014048808.tif 000045
【図３４】
2014048808.tif 000046
【図３５】
2014048808.tif 000047
【図３６】
2014048808.tif 000048
【図３７】
2014048808.tif 000049
【図３８】
2014048808.tif 000050
【図３９】
2014048808.tif 000051